(57)【要約】【課題】手術用顕微鏡の数に拘わらず助手用顕微鏡ユニットを使用位置と不使用位置に移動可能にできる手術用顕微鏡を提供すること。【解決手段】手術用顕微鏡１０は、被検物を照明する照明光学系と、前記被検物を観察する主観察光学系が設けられた顕微鏡本体１１と、前記顕微鏡本体１１に取り付けられた助手用顕微鏡ユニットを備えている。また、手術用顕微鏡１０は、前記顕微鏡本体１１の鏡筒１２ａに顕微鏡本体１１の対物レンズ１２ｃの光軸を中心に周方向に延びるガイドレール１４が設けられ、助手用顕微鏡ユニットＳｕ，Ｓｕ′が前記主顕微鏡ユニット１２の周方向に使用位置と不使用位置との間で移動可能に前記ガイドレール１４に取り付けられている。【選択図】図１
2008245980.tif 000002
【特許請求の範囲】
【請求項１】
被検物を照明する照明光学系と、前記被検物を観察する主観察光学系が設けられた顕微鏡本体と、前記顕微鏡本体に取り付けられた助手用顕微鏡ユニットを備える手術用顕微鏡において、
前記顕微鏡本体の鏡筒に前記顕微鏡本体の対物レンズの光軸を中心に周方向に延びるガイドレールが設けられ、前記助手用顕微鏡ユニットが前記鏡筒の周方向に使用位置と不使用位置との間で移動可能に前記ガイドレールに取り付けられていることを特徴とする手術用顕微鏡。
【請求項２】
請求項１に記載の手術用顕微鏡において、前記ガイドレールは前記助手用顕微鏡ユニットを観察位置から不使用位置に移動させるガイド部を有することを特徴とする手術用顕微鏡。
【請求項３】
請求項１に記載の手術用顕微鏡において、前記ガイドレールは前記助手用顕微鏡ユニットを前記不使用位置で両端から抜き取り可能に設けられていることを特徴とする手術用顕微鏡。
【発明の詳細な説明】
【技術分野】
【０００１】
この発明は、助手用顕微鏡ユニットを有する手術用顕微鏡に関するものである。
【背景技術】
【０００２】
従来の手術用顕微鏡には、被検物を観察する主観察光学系が設けられた顕微鏡本体と、この顕微鏡本体に取り付けられた助手用顕微鏡ユニットを備えるものが知られている（例えば、特許文献１参照）。
【０００３】
このような手術用顕微鏡では、手術時に助手が立つ位置に合わせて助手用顕微鏡ユニットを移動可能にするため、図１３に示したように顕微鏡本体１の鏡筒２に助手用顕微鏡ユニット３を周方向に回動可能に取り付けたものも知られている。
【特許文献１】特開２００６−２８０８０５号公報
【発明の開示】
【発明が解決しようとする課題】
【０００４】
しかしながら、この手術用顕微鏡では、助手用顕微鏡ユニット３は鏡筒２に同軸で回動可能に支持する環状部３ａが設けられた構成であるため、助手用顕微鏡ユニット３を一つしか取り付けることができないものであった。
【０００５】
この対策として、２つの助手用顕微鏡ユニット３を鏡筒２の左右にそれぞれ固定したりすることも行われている。この助手用顕微鏡ユニット３の固定構造では、助手用顕微鏡ユニット３が術者にとって邪魔である場合、手術の前に予め助手用顕微鏡ユニット３を鏡筒２から外しておくこともある。
【０００６】
しかし、このように２つの助手用顕微鏡ユニット３がある場合でも、助手用顕微鏡ユニット３が複数あっても術者にとって邪魔とならない状態にできるのが望ましい。
【０００７】
そこで、この発明は、手術用顕微鏡の数に拘わらず助手用顕微鏡ユニットを使用位置と不使用位置に移動可能にできる手術用顕微鏡を提供することを目的とするものである。
【課題を解決するための手段】
【０００８】
この目的を達成するため、この発明は、被検物を照明する照明光学系と、前記被検物を観察する主観察光学系が設けられた顕微鏡本体と、前記顕微鏡本体に取り付けられた助手用顕微鏡ユニットを備える手術用顕微鏡において、前記顕微鏡本体の鏡筒に前記顕微鏡本体の対物レンズの光軸を中心に周方向に延びるガイドレールが設けられ、前記助手用顕微鏡ユニットが前記鏡筒の周方向に使用位置と不使用位置との間で移動可能に前記ガイドレールに取り付けられている手術用顕微鏡としたことを特徴とする。
【発明の効果】
【０００９】
この構成によれば、助手用顕微鏡ユニットは使用位置と不使用位置に移動可能にガイドレールに取り付けられているので、手術用顕微鏡の数に拘わらず助手用顕微鏡ユニットを不使用位置に移動させることができる。
【発明を実施するための最良の形態】
【００１０】
以下、この発明の実施の形態を図面に基づいて説明する。
【００１１】
図１はこの発明にかかる手術用顕微鏡を示したもので、この手術用顕微鏡は微鏡本体１１を有する。この顕微鏡本体１１は、術者用の主顕微鏡ユニット１２と、この主顕微鏡ユニット１２の後側方に一体に設けられたハウジング１３を有する。
【００１２】
この主顕微鏡ユニット１２は、対物レンズ１２ｃを内蔵した鏡筒１２ａと、術者用の左右の接眼レンズ１２ｂ，１２ｂを有する。主顕微鏡ユニット１２は図６，図７に代表的にＭで示した主観察光学系（術者用観察系）を有し、主観察光学系Ｍは左右の観察光学系ＭＬ，ＭＲ（詳細図示略）を有する。この主観察光学系Ｍには周知の構成が採用できるので、その詳細な説明は省略する。
【００１３】
また、ハウジング１３内には照明光学系（図示せず）が設けられている。この照明光学系からの照明光束はプリズム等の光束偏向部材１３ａと対物レンズ１２ｃを介して被検物に投影可能となっている。この構成にも周知の構成が採用できるので、その詳細な説明は省略する。
【００１４】
また、主顕微鏡ユニット１２の下端部の左側部には図６に示したように一対の開口１２Ｌ，１２Ｒ（図４参照）が設けられ、及び主顕微鏡ユニット１２の下端部の左側部には一対の開口１２Ｌ′，１２Ｒ′が形成されている。しかも、鏡筒１２ａ内には、図示しない被検物から反射して対物レンズ１２ｃに入射する観察光束を開口１２Ｌ，１２Ｒ及び１２Ｌ′，１２Ｒ′に向けてそれぞれ反射させるプリズム等の光束反射部材１２ｄ，１２ｄ′が配設されている。
【００１５】
更に、主顕微鏡ユニット１２の下端部には、図２，図３に示したように鏡筒１２ａとハウジング１３に跨るガイドレール１４が取り付けられている。このガイドレール１４は、鏡筒１２aに沿って周方向に延びる円形状ガイド部１５と、この円形状ガイド部１５からハウジング１３の左右の側方まで延設された直線状ガイド部１６，１６′を有する。尚、円形状ガイド部１５は、対物レンズ１２ｃの光軸を中心に周方向に延びている。
【００１６】
そして、図６に示したように、円形状ガイド部１５の一端部には一対の開口１２Ｌ，１２Ｒに対向する（連通する）一対の開口１５Ｌ，１５Ｒ（図５参照）が形成され、円形状ガイド部１５の他端部には一対の開口１２Ｌ′，１２Ｒ′に対向する（連通する）一対の開口１５Ｌ′，１５Ｒ′が形成されている。
【００１７】
また、このガイドレール１４には、図６に示したように、鏡筒１２ａに沿って顕微鏡マウント１７，１７′が移動可能に装着されている。この顕微鏡マウント１７には開口１５Ｌ，１５Ｒにそれぞれ対向させる（連通させる）開口１７Ｌ，１７Ｒが形成され、顕微鏡マウント１７′には開口１５Ｌ′，１５Ｒ′に対向させる（連通させる）開口１７Ｌ′，１７Ｒ′が形成されている。
【００１８】
このような顕微鏡マウント１７，１７′には、助手用顕微鏡ユニット（全体図示略）Ｓｕ，Ｓｕ′を取り付けるための蟻溝１７ａ，１７ａ′がそれぞれ設けられている。
【００１９】
しかも、助手用顕微鏡ユニットＳｕには、蟻溝１７ａに係合させる突部Ｓａと、この突部Ｓａを蟻溝１７ａに係合させたときに、顕微鏡マウント１７の上端に当接して手用顕微鏡ユニットＳｕが下方に落下するのを防止させるストッパ突部Ｓｂが設けられている。また、助手用顕微鏡ユニットＳｕ′には、蟻溝１７ａ′に係合させる突部Ｓａ′と、この突部Ｓａ′を蟻溝１７ａ′に係合させたときに、顕微鏡マウント１７′の上端に当接して手用顕微鏡ユニットＳｕ′が下方に落下するのを防止させるストッパ突部Ｓｂ′が設けられている。尚、手用顕微鏡ユニットＳｕ，Ｓｕ′は図６に代表的に示した助手用光学系Ｓｃ，Ｓｃ′を有する。この助手用光学系Ｓｃ，Ｓｃ′も従来周知の構成を採用できるので、その詳細な説明は省略してある。
【００２０】
更に、ストッパ突部Ｓｂを顕微鏡マウント１７のネジ孔１７ｂ，１７ｂ′に固定ネジ（図示せず）で固定することにより、手用顕微鏡ユニットＳｕは顕微鏡マウント１７に着脱可能に取り付けられている。また、ストッパ突部Ｓｂ′を顕微鏡マウント１７′のネジ孔１７ｂ′に固定ネジ（図示せず）で固定することにより、手用顕微鏡ユニットＳｕ′は顕微鏡マウント１７′に着脱可能に取り付けられている。
【００２１】
また、顕微鏡マウント１７は、開口１７Ｌ，１７Ｒが開口１５Ｌ，１５Ｒに対向する（連通する）位置（使用位置）で円弧状ガイド部１５の端部に固定可能に設けられている。この固定は、図示を省略した固定ピンや固定ネジ等で行うことができる。この点は顕微鏡マウント１７′でも同様である。
【００２２】
この顕微鏡マウント１７′は、図２に実線で示した円形状ガイド部１５の端部（使用位置）から二点鎖線で示した位置に移動させることができる。即ち、顕微鏡マウント１７′を図３の矢印Ａ１の方向に移動させることにより、顕微鏡マウント１７′を二点鎖線の位置から実線で示したように直線状ガイド部（不使用位置）１６′に配置させることができる。また、同様に、顕微鏡マウント１７を円形状ガイド部１５の端部（使用位置）から図３の矢印Ａ１とは反対方向に移動させることにより、顕微鏡マウント１７を直線状ガイド部（不使用位置）１６に配置することができる。
【００２３】
これらの位置でも、顕微鏡マウント１７，１７′は直線状ガイド部１６，１６′（不使用位置）にそれぞれ固定可能に設けられている。この固定も、図示を省略した固定ピンや固定ネジ等で行うことができる。
【００２４】
更に、図６に示したように円弧状ガイド部１５の外周面には板状で円弧状のシャッター１５ｓ，１５ｓ′が周方向に移動可能に取り付けられている。この取付構造としては、例えば、円弧状ガイド部１５の外周面の上縁部に周方向に延び且つ下方に開放する上支持溝（図示せず）を形成し、且つ円弧状ガイド部１５の外周面の下縁部に周方向に延び且つ上方に開放する下支持溝（図示せず）を形成して、この上支持溝と下支持溝にシャッター１５ｓ，１５ｓ′の上下の縁部をそれぞれ係合させた構造とすることができる。
【００２５】
尚、顕微鏡マウント１７を直線状ガイド部１６に（不使用位置）に固定したときには、開口１５Ｌ，１５Ｒをシャッター１５ｓで閉成する。また、顕微鏡マウント１７′を直線状ガイド部１６′に（不使用位置）に固定したときには、開口１５Ｌ′，１５Ｒ′をシャッター１５ｓ′で閉成する。
【００２６】
また、シャッター１５ｓ，１５ｓ′は、ワイヤー、又は連結ピン等により顕微鏡マウント１７の移動と連動して開閉が可能である(図示せず)。
（変形例１）
更に、図２，図３では左右一対の顕微鏡マウント１７，１７′及び手用顕微鏡ユニットＳｕ，Ｓｕ′を設けた例を示したが、必ずしもこれに限定されるものではない。例えば、図８，図９に示したように一つの顕微鏡マウント１７のみを設けて、顕微鏡マウント１７をガイドレール１４の円形状ガイド部１５に沿って鏡筒１２ａの周方向に移動させることにより、顕微鏡マウント１７を左右の使用位置（開口１５Ｌ，１５Ｒの位置又は開口１５Ｌ′，１５Ｒ′の位置）のいずれか一方に配置することもできる。
（変形例２）
更に、以上説明した実施例では、円形状ガイド部１５と、この円形状ガイド部１５と直線状ガイド部１６，１６をガイドレール１４に設けた例を示したが、必ずしもこれに限定されるものではない。
【００２７】
例えば、図２，３に示したガイドレール１４の直線状ガイド部１６，１６を図１０〜図１２に示したように省略して、図２，図３の円形状ガイド部１５のみを図１０〜図１２に示したようなガイドレール１４′としても良い。
【００２８】
この場合、図１０のハウジング１３の左右の一方側に取り外し空間（不使用位置）１８を設けることにより、顕微鏡マウント１７′を図１１の使用位置からハウジング１３の側方の取り外し空間（不使用位置）１８まで移動させたときに、顕微鏡マウント１７′を図示しない助手用顕微鏡ユニットと共にガイドレール１４′の端から取り外すことができるようになっている。
【００２９】
また、図１２において、残りの顕微鏡マウント１７を矢印Ａ１方向に移動させた後、この顕微鏡マウント１７を取り外し空間（不使用位置）１８まで移動させることで、顕微鏡マウント１７を鏡筒１２ａのガイドレール１４′から取り外すことができる。
【００３０】
このように顕微鏡マウント１７，１７′をガイドレール１４′から取り外したときにも、上述した実施例と同様に、開口１５Ｌ，１５Ｒや開口１５Ｌ′，１５Ｒ′をシャッター１５ｓで閉成する。
【００３１】
以上説明したように、この発明の実施の形態の手術用顕微鏡１０は、被検物を照明する照明光学系と、前記被検物を観察する主観察光学系が設けられた顕微鏡本体１１と、前記顕微鏡本体１１に取り付けられた助手用顕微鏡ユニット（Ｓｕ，Ｓｕ′）を備えている。また、手術用顕微鏡１０は、前記顕微鏡本体１１の鏡筒１２ａに前記顕微鏡本体１１の対物レンズ１２ｃの光軸を中心に周方向に延びるガイドレール１４が設けられ、前記助手用顕微鏡ユニット（Ｓｕ，Ｓｕ′）が前記鏡筒１２の周方向に使用位置と不使用位置との間で移動可能に前記ガイドレール１４に取り付けられている。
【００３２】
この構成によれば、助手用顕微鏡ユニット（Ｓｕ，Ｓｕ′）は使用位置と不使用位置に移動可能にガイドレール１４に取り付けられているので、手術用顕微鏡の数に拘わらず助手用顕微鏡ユニット（Ｓｕ，Ｓｕ′）を不使用位置に移動させることができる。
【００３３】
また、この発明の実施の形態の手術用顕微鏡において、前記ガイドレール１４は前記助手用顕微鏡ユニット（Ｓｕ，Ｓｕ′）を観察位置から不使用位置に移動させるガイド部（ガイドレール１４′）を有する。
【００３４】
この構成によれば、助手用顕微鏡ユニット（Ｓｕ，Ｓｕ′）を不使用位置（取り外し空間１８）に移動させることで、助手用顕微鏡ユニット（Ｓｕ，Ｓｕ′）を術者の邪魔にならないようにすることができる。
【００３５】
更に、この発明の実施の形態の手術用顕微鏡において、前記ガイドレール１４′は前記助手用顕微鏡ユニット（Ｓｕ，Ｓｕ′）を前記不使用位置（取り外し空間１８）においてら抜き取り可能に設けられている。
【００３６】
この構成によれば、助手用顕微鏡ユニット（Ｓｕ，Ｓｕ′）を不使用位置でガイドレール１４′から容易に取り外すことができるので、助手用顕微鏡ユニット（Ｓｕ，Ｓｕ′）を術者の邪魔にならないようにすることができる。
【図面の簡単な説明】
【００３７】
【図１】この発明に係る手術用顕微鏡の斜視図である。
【図２】図１の手術用顕微鏡のガイドレールの説明図である。
【図３】図２の手術用顕微鏡のガイドレールの使用説明図である。
【図４】図１の手術用顕微鏡の鏡筒の部分拡大説明図である。
【図５】図１の手術用顕微鏡のガイドレールの部分拡大説明図である。
【図６】図１の鏡筒の下部の水平断面図である。
【図７】図６の鏡筒の縦断面図である。
【図８】この発明に係る手術用顕微鏡の他の変形例を示す鏡筒の水平断面図である。
【図９】図８の鏡筒の縦断面図である。
【図１０】この発明に係る手術用顕微鏡の他の変形例を斜視図である。
【図１１】図１０の手術用顕微鏡のガイドレールの説明図である。
【図１２】図１０の手術用顕微鏡の使用説明図である。
【図１３】従来の手術用顕微鏡の一例を示す斜視図である。
【符号の説明】
【００３８】
１０・・・手術用顕微鏡
１１・・・顕微鏡本体
１２・・・主顕微鏡ユニット
１２ａ・・・鏡筒
１２ｃ・・・対物レンズ
１４，１４′・・・ガイドレール
１５・・・円形状ガイド部
１６・・・直線状ガイド部（ガイド部）
Ｓｕ，Ｓｕ′・・・助手用顕微鏡ユニット
【図１】
2008245980.tif 000003
【図２】
2008245980.tif 000004
【図３】
2008245980.tif 000005
【図４】
2008245980.tif 000006
【図５】
2008245980.tif 000007
【図６】
2008245980.tif 000008
【図７】
2008245980.tif 000009
【図８】
2008245980.tif 000010
【図９】
2008245980.tif 000011
【図１０】
2008245980.tif 000012
【図１１】
2008245980.tif 000013
【図１２】
2008245980.tif 000014
【図１３】
2008245980.tif 000015